(57)【要約】【課題】カッティング形状に損傷を生じることなく、余白部分を容易に取り除くことができる分割線を形成することができるカッティングプロッタを提供する。【解決手段】カッティングプロッタにおいて、分割線の方向および分割線の間隔を表す情報からシート上において分割線形成位置を取得する分割線形成位置取得手段と、取得した分割線形成位置と、カッティングデータに基づいてカッティングされたカッティング形状のアウトラインとの交点を取得する交点取得手段と、分割線形成位置上の分割線を形成する第１の点と第２の点との間に切り込み開始点を設定し、切り込み開始点から第１の点に向かって切り込みを入れた後に、切り込み開始点から第２の点に向かって切り込みを入れて分割線を形成する分割線形成手段とを有し、第１の点および第２の点は、分割線形成位置の一方の端点、他方の端点あるいは交点取得手段において取得した交点であるようにした。【選択図】        図４
2015044261.tif 000002
【特許請求の範囲】
【請求項１】
カッティングデータに基づく所望の形状たるカッティング形状をシートに形成するとともに、前記シートの前記カッティング形状以外の部分たる余白部分に分割線を形成するカッティングプロッタにおいて、
分割線の方向および分割線の間隔を表す情報から前記シート上において分割線形成位置を取得する分割線形成位置取得手段と、
取得した分割線形成位置と、カッティングデータに基づいてカッティングされたカッティング形状のアウトラインとの交点を取得する交点取得手段と、
前記分割線形成位置上の分割線を形成する第１の点と第２の点との間に切り込み開始点を設定し、前記切り込み開始点から前記第１の点に向かって切り込みを入れた後に、前記切り込み開始点から前記第２の点に向かって切り込みを入れて分割線を形成する分割線形成手段と
を有し、
前記第１の点および前記第２の点は、前記分割線形成位置の一方の端点、他方の端点あるいは前記交点取得手段において取得した交点である
ことを特徴とするカッティングプロッタ。
【請求項２】
請求項１に記載のカッティングプロッタにおいて、
前記切り込み開始点は、前記第１の点および前記第２の点から、前記シートをカッティングするカッター刃のオフセット量の値より離れた位置に設定される
ことを特徴とするカッティングプロッタ。
【請求項３】
請求項１または２のいずれか１項に記載のカッティングプロッタにおいて、
前記切り込み開始点は、前記分割線形成位置上の第３の点のみで構成され、
前記分割線形成手段においては、前記第３の点から前記第１の点まで切り込みを入れた後に、前記第３の点から前記第２の点まで切り込みを入れて前記分割線形成位置上に分割線を形成する
ことを特徴とするカッティングプロッタ。
【請求項４】
請求項１または２のいずれか１項に記載のカッティングプロッタにおいて、
前記切り込み開始点は、前記分割線形成位置上において互いに所定の間隔を空けた第４の点および第５の点により構成され、
前記分割線形成手段においては、前記第５の点より前記第１の点に近似した位置にある前記第４の点から前記第１の点まで切り込みを入れた後に、前記第４の点より前記第２の点に近似した位置にある前記第５の点から前記第２の点まで切り込みを入れて、前記分割線形成位置上に分割線を形成する
ことを特徴とするカッティングプロッタ。
【請求項５】
請求項１または２のいずれか１項に記載のカッティングプロッタにおいて、
前記切り込み開始点は、前記分割線形成位置上の所定の点を中心とした円形状内において、互いに所定の間隔を空けた第６の点および第７の点より構成され、
前記分割線形成手段においては、前記第６の点から前記第１の点まで切り込みを入れた後に、前記第７の点から前記第２の点まで切り込みを入れて前記分割線形成位置上あるいは前記分割線形成位置近傍に分割線を形成する
ことを特徴とするカッティングプロッタ。
【請求項６】
請求項１または２のいずれか１項に記載のカッティングプロッタにおいて、
前記切り込み開始点は、前記分割線形成位置上の所定の点を中心とした円形状内において、互いに所定の間隔を空けた第６の点および第７の点より構成され、
前記分割線形成手段においては、前記第６の点から前記第１の点側に前記分割線形成位置と平行に前記カッティング形状のアウトラインまで切り込みを入れた後に、前記第７の点から前記第２の点まで、あるいは、前記第７の点から前記第２の点側に前記分割線形成位置と平行に前記カッティング形状のアウトラインまで切り込みを入れて前記分割線形成位置上あるいは前記分割線形成位置近傍に分割線を形成する
ことを特徴とするカッティングプロッタ。
【発明の詳細な説明】
【技術分野】
【０００１】
本発明は、カッティングプロッタに関し、さらに詳細には、各種シートを所望の形状に切り抜くカッティングプロッタに関する。
【背景技術】
【０００２】
従来より、ベースシート上に粘着剤で表面シートが密着した２層構造のシートに対して、カッティングデータに基づいて表面シートのみを所望の形状に切り抜くカッティングプロッタが知られている。
【０００３】
即ち、このカッティングプロッタにおいては、２層構造のシートの表面シートに、切り抜いた所望の形状（以下、「切り抜いた所望の形状」を「カッティング形状」と適宜に称する。）部分と、カッティング形状以外の部分（以下、「カッティング形状以外の部分」を「余白部分」と適宜に称する。）を形成する。
【０００４】
そして、この２層構造のシートにおいて、表面シートの余白部分をベースシートから取り除き、ベースシート上に残った表面シートのカッティング形状部分を転写シートに一旦写し、この転写シートを所望の場所に貼り付け、転写シートのみを当該場所から取り除くことにより、所望の場所に所望の形状のディスプレイを形成することができるようになる。
【０００５】
ここで、こうしたカッティングプロッタにより表面シートにカッティング形状が形成された２層構造のシートにおいて、余白部分を取り除く際に、カッティング形状部分が一緒に剥がれてしまい、カッティング形状の全体のレイアウトが崩れてしまうことが問題点として指摘されていた。
【０００６】
こうした問題点を解決するための手段として、特許文献１に開示された技術が知られている。
【０００７】
即ち、この特許文献１に開始された技術は、２層構造のシートにおける表面シートにカッティング形状を形成するとともに、余白部分に所定の間隔で当該余白部分を分割する分割線を入れるようにしたものである。
【０００８】
これにより、余白部分をベースシートから取り除く際に、カッティング形状部分が一緒に取り除かれることがなくなり、容易にベースシートから余白部分のみを取り除くことができるものとされている。
【０００９】
しかしながら、特許文献１に開示された技術においては、余白部分に分割線を入れる際に、カッティング形状の輪郭たるアウトライン上に分割線の開始点が位置する部分があり、この場合には、カッターの回転などによりアウトライン上に、扇形状あるいは半円形状の傷が形成されることとなり、カッティング形状に損傷が生じることが問題点として指摘されていた。
【００１０】
そして、こうした問題点を解決するための手段として、特許文献２に開示された技術が知られている。
【００１１】
この特許文献２に開示された技術は、分割線の開始点を、カッティング形状のアウトラインより外側に位置させることで、カッティング形状への損傷を防止するようにしたものである。
【００１２】
しかしながら、この特許文献２に開示された技術においては、カッティング形状のアウトラインと余白部分に入れる分割線とに隙間が形成され、表面シートの材質によっては、余白部分をベースシートから容易に取り除くことができないという問題点が生じていた。
【先行技術文献】
【特許文献】
【００１３】
【特許文献１】特開昭６１−２９７０９８号公報
【特許文献２】特許第３５２０６９３号公報
【発明の概要】
【発明が解決しようとする課題】
【００１４】
本発明は、上記したような従来の技術の有する種々の問題点に鑑みてなされたものであり、その目的とするところは、カッティング形状に損傷を生じることなく、余白部分を容易に取り除くことができる分割線を形成することができるカッティングプロッタを提供しようとするものである。
【課題を解決するための手段】
【００１５】
上記目的を達成するために、本発明によるカッティングプロッタは、カッティングデータに基づく所望の形状たるカッティング形状をシートに形成するとともに、上記シートの上記カッティング形状以外の部分たる余白部分に分割線を形成するカッティングプロッタにおいて、分割線の方向および分割線の間隔を表す情報から上記シート上において分割線形成位置を取得する分割線形成位置取得手段と、取得した分割線形成位置と、カッティングデータに基づいてカッティングされたカッティング形状のアウトラインとの交点を取得する交点取得手段と、上記分割線形成位置上の分割線を形成する第１の点と第２の点との間に切り込み開始点を設定し、上記切り込み開始点から上記第１の点に向かって切り込みを入れた後に、上記切り込み開始点から上記第２の点に向かって切り込みを入れて分割線を形成する分割線形成手段とを有し、上記第１の点および上記第２の点は、上記分割線形成位置の一方の端点、他方の端点あるいは上記交点取得手段において取得した交点であるようにしたものである。
【００１６】
また、本発明によるカッティングプロッタは、上記したカッティングプロッタにおいて、上記切り込み開始点は、上記第１の点および上記第２の点から、上記シートをカッティングするカッター刃のオフセット量の値より離れた位置に設定されるようにしたものである。
【００１７】
また、本発明によるカッティングプロッタは、上記したカッティングプロッタにおいて、上記切り込み開始点は、上記分割線形成位置上の第３の点のみで構成され、上記分割線形成手段においては、上記第３の点から上記第１の点まで切り込みを入れた後に、上記第３の点から上記第２の点まで切り込みを入れて上記分割線形成位置上に分割線を形成するようにしたものである。
【００１８】
また、本発明によるカッティングプロッタは、上記したカッティングプロッタにおいて、上記切り込み開始点は、上記分割線形成位置上において互いに所定の間隔を空けた第４の点および第５の点により構成され、上記分割線形成手段においては、上記第５の点より上記第１の点に近似した位置にある上記第４の点から上記第１の点まで切り込みを入れた後に、上記第４の点より上記第２の点に近似した位置にある上記第５の点から上記第２の点まで切り込みを入れて、上記分割線形成位置上に分割線を形成するようにしたものである。
【００１９】
また、本発明によるカッティングプロッタは、上記したカッティングプロッタにおいて、上記切り込み開始点は、上記分割線形成位置上の所定の点を中心とした円形状内において、互いに所定の間隔を空けた第６の点および第７の点より構成され、上記分割線形成手段においては、上記第６の点から上記第１の点まで切り込みを入れた後に、上記第７の点から上記第２の点まで切り込みを入れて上記分割線形成位置上あるいは上記分割線形成位置近傍に分割線を形成するようにしたものである。
【００２０】
また、本発明によるカッティングプロッタは、上記したカッティングプロッタにおいて、上記切り込み開始点は、上記分割線形成位置上の所定の点を中心とした円形状内において、互いに所定の間隔を空けた第６の点および第７の点より構成され、上記分割線形成手段においては、上記第６の点から上記第１の点側に上記分割線形成位置と平行に上記カッティング形状のアウトラインまで切り込みを入れた後に、上記第７の点から上記第２の点まで、あるいは、上記第７の点から上記第２の点側に上記分割線形成位置と平行に上記カッティング形状のアウトラインまで切り込みを入れて上記分割線形成位置上あるいは上記分割線形成位置近傍に分割線を形成するようにしたものである。
【発明の効果】
【００２１】
本発明は、以上説明したように構成されているので、カッティング形状に損傷を生じることなく、余白部分を容易に取り除くことができる分割線を形成することができるという優れた効果を奏するものである。
【図面の簡単な説明】
【００２２】
【図１】図１は、本発明によるカッティングプロッタの概略構成説明図である。
【図２】図２は、図１に示すカッティングプロッタの要部の構成を示すブロック構成説明図である。
【図３】図３は、本発明の第１の実施の形態によるカッティングプロッタの機能的構成を示すブロック構成説明図である。
【図４】図４は、本発明の第１の実施の形態によるカッティングプロッタにおけるカッティング処理の処理ルーチンを示すフローチャートである。
【図５】図５（ａ）は、シート上に形成した分割線形成位置を示す説明図であり、また、図５（ｂ）は、シート上に文字「Ｄ」のカッティング形状を形成した際のカッティング形状のアウトラインと分割線形成位置との交点を示す説明図である。
【図６】図６は、本発明の第１の実施の形態によるカッティングプロッタにより分割線形成位置に分割線を形成する手順を示した説明図であり、図６（ａ）は、図５（ｂ）の分割線形成位置Ｙ３の近傍を拡大して示した説明図であり、また、図６（ｂ）は、分割線が形成される２点間に切り込み開始点を設定した状態を示す説明図であり、また、図６（ｃ）は、切り込み開始点から一方の点まで切り込みが形成されることを示す説明図であり、また、図６（ｄ）は、切り込み開始点から他方の点まで切り込みが形成されることを示す説明図である。
【図７】図７は、本発明の第２の実施の形態によるカッティングプロッタの機能的構成を示すブロック構成説明図である。
【図８】図８は、本発明の第２の実施の形態によるカッティングプロッタにおけるカッティング処理の処理ルーチンを示すフローチャートである。
【図９】図９は、本発明の第２の実施の形態によるカッティングプロッタにより分割線形成位置に分割線を形成する手順を示した説明図であり、図９（ａ）は、図５（ｂ）の分割線形成位置Ｙ３の近傍を拡大して示した説明図であり、また、図９（ｂ）は、分割線が形成される２点間に切り込み開始点を設定した状態を示す説明図であり、また、図９（ｃ）は、切り込み開始点から一方の点まで切り込みが形成されることを示す説明図であり、また、図９（ｄ）は、切り込み開始点から他方の点まで切り込みが形成されることを示す説明図である。
【図１０】図１０は、本発明の第３の実施の形態によるカッティングプロッタの機能的構成を示すブロック構成説明図である。
【図１１】図１１は、本発明の第３の実施の形態によるカッティングプロッタにおけるカッティング処理の処理ルーチンを示すフローチャートである。
【図１２】図１２は、本発明の第３の実施の形態によるカッティングプロッタにより分割線形成位置に分割線を形成する手順を示した説明図であり、図１２（ａ）は、図５（ｂ）の分割線形成位置Ｙ３の近傍を拡大して示した説明図であり、また、図１２（ｂ）は、分割線が形成される２点間に切り込み開始点を設定した状態を示す説明図であり、また、図１２（ｃ）は、切り込み開始点から一方の点まで切り込みが形成されることを示す説明図であり、また、図１２（ｄ）は、切り込み開始点から他方の点まで切り込みが形成されることを示す説明図である。
【図１３】図１３（ａ）（ｂ）（ｃ）は、本発明の第３の実施の形態によるカッティングプロッタにおいて、切り込み開始点から分割線が形成される２点へ切り込みの入れ方の変形例を示す説明図である。
【図１４】図１４は、カッター刃のオフセット量を示す説明図である。
【発明を実施するための形態】
【００２３】
以下、添付の図面を参照しながら、本発明によるカッティングプロッタの実施の形態の一例を詳細に説明するものとする。
【００２４】
まず、図１乃至図２を参照しながら、本発明によるカッティングプロッタの第１の形態について説明する。
【００２５】
図１には、本発明の第１の実施の形態によるカッティングプロッタが示されており、また、図２には、本発明の第１の実施の形態によるカッティングプロッタの要部の構成を示すブロック構成説明図が示されている。
【００２６】
即ち、本発明によるカッティングプロッタ１０は、ペーパームーブタイプのカッティングプロッタであり、入力されたカッティングデータに基づいて、ベースシート上に粘着剤で表面シートが密着した２層構造のシート２２を所定の方向に搬送するとともに、シート２２の搬送方向と直交する方向にキャリッジ２４を移動させて、キャリッジ２４に取り付けられたカッター２６によりシート２２を所望の形状に切断するようになされている。
【００２７】
具体的には、シート２２は、プラテン１２の両側に設けられた駆動ローラー１４、１６と、その上方側に配設されたピンチローラー１８、２０とで挟持した状態で、駆動ローラー１４、１６が駆動することにより、ＸＹＺ直交座標系のＹ軸方向に移動する。
【００２８】
そして、シート２２をＹ軸方向で移動させながら、キャリッジ２４をＸ軸方向に移動させることにより、キャリッジ２４に取り付けられたカッター２６に設けられたカッター刃（図示せず。）でシート２２の表面シートを任意の形状に切断するようになされている。
【００２９】
また、カッティングプロッタ１０は、ＣＰＵ３０に接続されたインターフェース３２において、シリアルケーブルなどを介して、外部のホストコンピューター（図示せず。）のインターフェースと接続可能となっている。
【００３０】
ＣＰＵ３０には、バスを介して全体の動作や種々の処理をするための所定のプログラムを格納したＲＯＭ（リードオンリメモリ）３４と、ＣＰＵ３０によるプログラム実行時に必要な各種レジスタなどが設定されたワーキングエリアとしてのＲＡＭ（ランダムアクセスメモリ）３６と、Ｘモータードライバー３８と、Ｙモータードライバー４０とが接続されている。
【００３１】
Ｘモータードライバー３８には、カッター２６が取り付けられたキャリッジ２４をＸ軸方向に移動させるＸモーター４２が接続されている。
【００３２】
Ｙモータードライバー４０には、駆動ローラー１４、１６を介してシート２２をＹ軸方向に移動させるＹモーター４４が接続されている。
【００３３】
そして、ＣＰＵ３０は、Ｘモーター４２およびＹモーター４４の励磁のオン・オフならびにオン時における駆動を制御する。
【００３４】
次に、図３を参照しながら、本発明の第１の実施の形態によるカッティングプロッタ１０について、詳細に説明することとする。
【００３５】
図３には、本発明の第１の実施の形態によるカッティングプロッタ１０の機能的構成を表すブロック構成説明図が示されている。
【００３６】
本発明の第１の実施の形態によるカッティングプロッタ１０は、カッティングデータ、分割線の間隔、分割線の方向などの情報を記憶する記憶部５０と、カッティングデータに基づいて、カッティング形状を作成するカッティング形状作成部５２と、分割線の間隔および分割線の方向を示す情報から、シート２２上において分割線を形成する位置たる分割線形成位置を取得する分割線形成位置取得部５４と、作成されたカッティング形状のアウトラインと、取得した分割線形成位置との交点を取得する交点取得部５６と、取得した交点位置に基づいて余白部分の分割線を決定し、決定した分割線に基づいて余白部分に分割線を作成する第１の分割線作成部５８とを有して構成されている。
【００３７】
より詳細には、分割線発生位置取得部５４は、記憶部５０に記憶された分割線の間隔および分割線の方向を示す情報に基づいて、カッティング形状が作成されていないシート２２上において、分割線が発生する位置を取得する。
【００３８】
なお、この記憶部５０に記憶された分割線の間隔および分割線の方向を示す情報については、事前に記憶部５０に記憶されているものとする。
【００３９】
また、交点取得部５６は、カッティング形状作成部５２において作成されたカッティング形状のアウトラインと、分割線発生位置取得部５４において取得した分割線発生位置との交点を取得する。
【００４０】
第１の分割線作成部５８は、分割線形成位置上の始端、終端および交点取得部５６において取得された交点に基づいて、余白部分に分割線を形成する。
【００４１】
このとき、分割線は、分割線形成位置上の異なる２点間（始端、終端、交点取得部５６で取得した交点のうちの２点である。）を結ぶ切り込み線となるが、分割線を形成する際には、第１の分割線形成部５８において、当該２点間の所定の点を切り込みを開始する点として設定する。
【００４２】
なお、この所定の点は上記２点との距離が、少なくともカッター２６に設けられたカッター刃（図示せず。）のオフセット量より大きい値となるように設定される。
【００４３】
このカッター刃のオフセット量とは、カッター刃の先端とカッター刃の中心との距離に相当するものである（図１４を参照する。）。
【００４４】
以上の構成において、カッティングプロッタ１０によりカッティングデータに基づいてカッティング形状の作成を開始する指示がなされると、カッティング処理が開始され、このカッティング処理においては、まず、分割線形成位置取得部５４において、カッティング形状を形成していないシート２２上での分割線を形成する位置たる分割線形成位置を取得する（ステップＳ４０２）。
【００４５】
なお、この分割線形成位置は、記憶部５０に予め記憶されている分割線の間隔および分割線の方向を示す情報に基づいて取得されるものである。
【００４６】
具体的には、例えば、分割線の間隔が「ｐ」、分割線の方向が「シート２２のｘ座標の始端０から終端Ｘｍ」の場合には、ステップＳ４０２の処理においては、図５（ａ）に示すような分割線形成位置が取得される。
【００４７】
即ち、図５（ａ）においては、シート２２上に左方側から右方側にＹ１、Ｙ２、Ｙ３、Ｙ４、Ｙ５、Ｙ６の分割線形成位置を取得する。
【００４８】
次に、カッティング形状作成部５２において、カッティングデータに基づいてシート２２にカッティング形状を形成する（ステップＳ４０４）とともに、交点取得部５６において、形成したカッティング形状のアウトラインとステップＳ４０２の処理で取得した分割線形成位置との交点を取得する（ステップＳ４０６）。
【００４９】
即ち、このステップＳ４０４の処理においては、カッティング形状作成部５２において、例えば、文字「Ｄ」の外形を表すカッティングデータに基づいて、図５（ｂ）に示すように、シート２２に「Ｄ」の文字をカッティング形状として形成する。
【００５０】
そして、ステップＳ４０６においては、ステップＳ４０４の処理でカッティング形状を形成する際に、カッティング形状のアウトラインがステップＳ４０２の処理で取得した分割線形成位置上に存在するか否かを判断し、当該アウトラインが当該分割線形成位置上に存在する点を、カッティング形状のアウトラインと分割線形成位置の交点として取得する。
【００５１】
具体的には、シート２２に「Ｄ」の文字をカッティング形状として作成する際には、図５（ｂ）に示すように、カッティングデータに基づいて形成した文字「Ｄ」において、アウトラインのＹ座標が分割線形成位置Ｙ１〜Ｙ６のＹ座標と一致するか否かを判断し、ａ１〜ａ１６の交点が抽出され、抽出された順に分割線形成位置Ｙ１〜Ｙ６上に存在する交点のＸ座標を記憶した交点テーブルを作成する。その後、こうして作成した交点テーブルは、分割線の方向に対して出現順に並び替えられる。
【００５２】
なお、上記したステップＳ４０２〜４０６の処理については、上記した特許文献１に開示された技術を用いることができるため、その詳細な説明は省略する。
【００５３】
その後、この交点に基づいて、第１の分割線作成部５８において、切り込み開始点を１点設定して分割線を形成し（ステップＳ４０８）、カッティング処理を終了する。
【００５４】
即ち、このステップＳ４０８の処理においては、分割線形成位置上のＡ点からＢ点まで分割線を形成する場合には、分割線形成位置のＡ点からＢ点までの間に位置するＣ点を分割線を形成する際の切り込み開始点とし、このＣ点からＡ点に向かって分割線の切り込みを行う。
【００５５】
その後、カッター２６をＣ点まで戻し、Ｃ点からＢ点まで分割線の切り込みを行う。
【００５６】
このとき、点Ｃは、点Ａおよび点Ｂとの距離が、カッター２６のオフセット量より大きい値となっている。
【００５７】
具体的には、分割線形成位置Ｙ３に着目すると（図５（ｂ）を参照する。）、この分割線形成位置Ｙ３においては、始端Ｑ点から交点ａ３までの分割線ｌ１と、交点ａ１２から交点ａ１５までの分割線ｌ２と、交点ａ８から終端Ｒ点までの分割線ｌ３とが形成される（図６（ａ）を参照する。）。
【００５８】
分割線ｌ１を形成する際には、分割線形成位置上の始端Ｑ点から交点ａ３までの間に位置するＣ１点を分割線ｌ１を形成する際の切り込み開始点とする（図６（ｂ）を参照する。）。
【００５９】
このとき、Ｃ１点は、始端Ｑ点からＣ１点までの距離およびＣ１点から交点ａ３までの距離がカッター２６に設けられたカッター刃（図示せず。）のオフセット量より大きい値となる位置に設けられ、例えば、始端Ｑ点と交点ａ３との中点に設けられる。
【００６０】
そして、このＣ１点から始端Ｑ点までカッター２６により切り込みを行い（図６（ｃ）を参照する。）、カッター２６をＣ１点まで戻すとともに、Ｃ１点においてカッター２６のカッター刃（図示せず。）を回転した後、Ｃ１点から交点ａ３まで切り込みを入れることにより（図６（ｄ）を参照する。）、始端Ｑ点から交点ａ３までの分割線ｌ１を形成する。
【００６１】
つまり、分割線ｌ１を形成する際には、カッター２６によりＣ１点を始点、始端Ｑ点を終点として切り込みを形成した後に、カッター２６をＣ１点に戻し、カッター２６によりＣ１点を始点、交点ａ３を終点として切り込みを形成することとなる。
【００６２】
また、分割線ｌ２を形成する際には、分割線形成位置上の交点ａ１２から交点ａ１５までの間に位置するＣ２点を分割線ｌ２を形成する際の切り込み開始点とする（図６（ｂ）を参照する。）。
【００６３】
このとき、Ｃ２点は、交点ａ１２からＣ２点までの距離およびＣ２点から交点ａ１５までの距離がカッター２６に設けられたカッター刃（図示せず。）のオフセット量より大きい値となる位置に設けられ、例えば、交点ａ１２と交点ａ１５との中点に設けられる。
【００６４】
そして、このＣ２点から交点ａ１２までカッター２６により切り込みを行い（図６（ｃ）を参照する。）、カッター２６をこの点Ｃ２まで戻すとともに、Ｃ２点においてカッター２６のカッター刃（図示せず。）を回転した後、Ｃ２点から交点ａ１５まで切り込みを入れることにより（図６（ｄ）を参照する。）、交点ａ１２から交点ａ１５までの分割線ｌ２を形成する。
【００６５】
つまり、分割線ｌ２を形成する際には、カッター２６によりＣ２を始点、交点ａ１２を終点として切り込みを形成した後に、カッター２６をＣ２点に戻し、カッター２６によりＣ２点を始点、交点ａ１５を終点として切り込みを形成することとなる。
【００６６】
さらに、分割線ｌ３を形成する際には、分割線形成位置上の交点ａ８から終端Ｒ点までの間に位置するＣ３点を分割線ｌ３を形成する際の切り込み開始点とする（図６（ｂ）を参照する。）。
【００６７】
このとき、Ｃ３点は、交点ａ８からＣ３点までの距離およびＣ３点から終端Ｒ点までの距離がカッター２６に設けられたカッター刃（図示せず。）のオフセット量より大きい値となる位置に設けられ、例えば、交点ａ８と終端Ｒ点との中点に設けられる。
【００６８】
そして、このＣ３点から交点ａ８までカッター２６により切り込みを行い（図６（ｃ）を参照する。）、カッター２６をこの点Ｃ３点まで戻すとともに、Ｃ３点においてカッター２６のカッター刃（図示せず。）を回転した後に、Ｃ３点から終端Ｒ点まで切り込みを入れることにより（図６（ｄ）を参照する。）、交点ａ８から終端Ｒ点までの分割線ｌ３を形成する。
【００６９】
つまり、分割線ｌ３を形成する際には、カッター２６によりＣ３点を始点、交点ａ８を終点として切り込みを形成した後に、カッター２６をＣ３点に戻し、カッター２６によりＣ３点を始点、終端Ｒ点を終点として切り込みを形成することとなる。
【００７０】
さらにまた、分割線形成位置Ｙ６に着目すると、この分割線形成位置Ｙ６においては、始端Ｑ点から終端Ｒ点までの分割線が形成され、この分割線は、上記した分割線ｌ１〜ｌ３を形成する場合と同様にして、始端Ｑ点から終端Ｒ点の間に位置するＣ点を設定し、このＣ点を切り込み開始点として、Ｃ点から始端Ｑ点へ切り込みを入れるとともに、Ｃ点から終端Ｒ点へ切り込みを入れるようにして分割線を形成することとなる。
【００７１】
次に、図７を参照しながら、本発明によるカッティングプロッタの第２の実施の形態について説明する。
【００７２】
なお、上記した本発明の第１の実施の形態によるカッティングプロッタ１０と同一または相当する構成については、カッティングプロッタ１０と同一の符号で示すことにより、その詳細な説明は省略する。
【００７３】
図７には、本発明の第２の実施の形態によるカッティングプロッタの機能的構成を表すブロック構成説明図が示されている。
【００７４】
なお、本発明の第２の実施の形態によるカッティングプロッタ６０の要部の構成は、上記した本発明の第１の実施の形態によるカッティングプロッタ１０と同様に構成できるので、その詳細な説明は省略する。
【００７５】
この図７に示す本発明の第２の実施の形態によるカッティングプロッタ６０は、第１の分割線作成部５８に変えて、第２の分割線作成部６８を有する点において、上記したカッティングプロッタ１０と異なっている。
【００７６】
この第２の分割線作成部６８は、分割線形成位置上の始端、終端および交点取得部５６において取得された交点に基づいて、余白部分に分割線を形成する。
【００７７】
このとき、分割線は、分割線形成位置上の異なる２点（始端、終端、交点取得部５６で取得した交点のうちの２点である。）を結ぶ線となるが、分割線を形成する際には、第２の分割線形成部６８において、分割線形成位置上の２点間において、所定の間隔ｇ１を空けて２点を設定し、この所定の間隔ｇ１を空けて設けられた２点それぞれを切り込み開始点とする。
【００７８】
なお、この切り込み開始点として設けられた２点はそれぞれ、分割線形成位置上の２点（始端、終端および交点取得部５６で取得した交点である。）のうちの近傍に位置する１点のとの距離が、少なくともカッター２６に設けられたカッター刃（図示せず。）のオフセット量より大きい値となるように設定される。
【００７９】
また、切り込み開始点として設けられた２点の間隔たる所定の間隔ｇ１としては、例えば、０ｍｍ＜ｇ１≦５ｍｍとする。
【００８０】
以上の構成において、カッティングプロッタ６０によりカッティングデータに基づいてカッティング形状の作成を開始する指示がなされると、カッティング処理が開始され、このカッティング処理においては、まず、分割線形成位置取得部５４において、カッティング形状を形成していないシート２２上で分割線を形成する位置たる分割線形成位置を取得する（ステップＳ８０２）。
【００８１】
次に、カッティング形状作成部５２において、カッティングデータに基づいてシート２２にカッティング形状を形成する（ステップＳ８０４）とともに、交点取得部５６において、形成したカッティング形状のアウトラインとステップＳ８０２の処理で取得した分割線形成位置との交点を取得する（ステップＳ８０６）。
【００８２】
なお、ステップＳ８０２〜ステップＳ８０６の処理については、上記したＳ４０２〜Ｓ４０６の処理と同様の処理となるため、その詳細な説明は省略する。
【００８３】
その後、この交点に基づいて、第２の分割線作成部６８において、分割線形成位置上に切り込み開始点を２点設定して分割線を形成し（ステップＳ８０８）、カッティング処理を終了する。
【００８４】
即ち、このステップＳ８０８の処理においては、分割線形成位置上のＤ点からＥ点まで分割線を形成する場合には、分割線形成位置上のＤ点からＥ点までの間に、互いに所定の間隔を開けて設けられたＦ点、Ｇ点をそれぞれ分割線を形成する際の切り込み開始点と設定する。
【００８５】
なお、このとき、分割線形成位置上には、所定の方向にＤ点、Ｆ点、Ｇ点、Ｅ点の順で並ぶこととなる。
【００８６】
また、Ｆ点とＤ点との距離およびＧ点とＥ点との距離はそれぞれ、カッター２６のオフセット量より大きい値となる。また、Ｆ点とＧ点との間隔ｇ１としては、例えば、０ｍｍ＜ｇ１≦５ｍｍとする。
【００８７】
その後、Ｆ点からＤ点に向かって分割線の切り込みを行い、カッター２６をＧ点まで移動し、Ｇ点からＥ点に向かって分割線の切り込みを行う。
【００８８】
従って、このステップＳ８０８の処理においては、分割線を形成すべき分割線形成位置上のＤ点からＥ点までの間において、Ｄ点からＦ点までは切り込みが入り、Ｆ点からＧ点までは切り込みが入らず、Ｇ点からＥ点までは切り込みが入るという分割線が形成される。
【００８９】
以下、図５（ｂ）における分割線形成位置Ｙ３に着目して、ステップＳ８０８の処理により分割線を形成する場合について、具体的に説明することとする。
【００９０】
この分割線形成位置Ｙ３においては、始端Ｑ点から交点ａ３までの分割線ｌ４と、交点ａ１２から交点ａ１５までの分割線ｌ５と、交点ａ８から終端Ｒ点までの分割線ｌ６とが形成される（図９（ａ）を参照する。）。
【００９１】
分割線ｌ４を形成する場合には、分割線形成位置上の始端Ｑ点から交点ａ３までの間に、互いに所定の間隔ｇ１を空けてＦ１点とＧ１点とを設定し、このＦ１点およびＧ１点を分割線ｌ４を形成する際の切り込み開始点とする（図９（ｂ）を参照する。）。
【００９２】
このとき、Ｆ１点は、始端Ｑ点からＦ１点までの距離がカッター２６に設けられたカッター刃（図示せず。）のオフセット量より大きい値となる位置に設けられ、Ｇ１点は、Ｇ１点から交点ａ３までの距離が当該カッター刃のオフセット量より大きい値となる位置に設けられる。
【００９３】
そして、Ｆ１点から始端Ｑ点までカッター２６により切り込みを行い（図９（ｃ）を参照する。）、その後、カッター２６をＧ１点まで移動するとともに、Ｇ１点においてカッター２６のカッター刃（図示せず。）を回転して、Ｇ１点から交点ａ３まで切り込みを入れることにより（図９（ｄ）を参照する。）、始端Ｑ点から交点ａ３までの分割線ｌ４を形成する。
【００９４】
つまり、分割線ｌ４は、カッター２６によりＦ１点を始点、始端Ｑ点を終点として切り込みを形成した後に、カッター２６をＧ１点に移動し、カッター２６によりＧ１点を始点、交点ａ３を終点として切り込みを形成することによって形成される。
【００９５】
このため、分割線ｌ４は、Ｆ１点とＧ１点との間には切り込みが形成されていない、つまり、Ｆ１点とＧ１点との間がつながった状態となっている。
【００９６】
分割線ｌ５を形成する場合には、分割線形成位置上の交点ａ１２から交点ａ１５までの間に、互いに所定の間隔ｇ１を空けてＦ２点とＧ２点とを設定し、このＦ２点およびＧ２点を分割線ｌ５を形成する際の切り込み開始点とする（図９（ｂ）を参照する。）。
【００９７】
このとき、Ｆ２点は、交点ａ１２からＦ２点までの距離がカッター２６に設けられたカッター刃（図示せず。）のオフセット量より大きい値となる位置に設けられ、Ｇ２点は、Ｇ２点から交点ａ１５までの距離が当該カッター刃のオフセット量より大きい値となる位置に設けられる。
【００９８】
そして、Ｆ２点から交点ａ１２までカッター２６により切り込みを行い（図９（ｃ）を参照する。）、その後、カッター２６をＧ２点まで移動するとともに、Ｇ２点においてカッター２６のカッター刃（図示せず。）を回転して、Ｇ２点から交点ａ１５まで切り込みを入れることにより（図９（ｄ）を参照する。）、交点ａ１２から交点ａ１５までの分割線ｌ５を形成する。
【００９９】
つまり、分割線ｌ５は、カッター２６によりＦ２点を始点、交点ａ１２を終点として切り込みを形成した後に、カッター２６をＧ２点に移動し、カッター２６によりＧ２点を始点、交点ａ１５を終点として切り込みを形成することとなる。
【０１００】
このため、分割線ｌ５は、Ｆ２点とＧ２点との間には切り込みが形成されていない、つまり、Ｆ２点とＧ２点との間がつながった状態となっている。
【０１０１】
分割線ｌ６を形成する場合には、分割線形成位置上の交点ａ８から終端Ｒ点までの間に、互いに所定の間隔ｇ１を開けてＦ３点とＧ３点とを設定し、このＦ３点およびＧ３点を分割線ｌ６を形成する際の切り込み開始点とする（図９（ｂ）を参照する。）。
【０１０２】
このとき、Ｆ３点は、交点ａ８からＦ３点までの距離がカッター２６に設けられたカッター刃（図示せず。）のオフセット量より大きい値となる位置に設けられ、Ｇ３点は、Ｇ３点から終端Ｒ点までの距離が当該カッター刃のオフセット量より大きい値となる位置に設けられる。
【０１０３】
そして、Ｆ３点から交点ａ８までカッター２６により切り込みを行い（図９（ｃ）を参照する。）、その後、カッター２６をＧ３点まで移動するとともに、Ｇ３点においてカッター２６のカッター刃（図示せず。）を回転して、Ｇ３点から終端Ｒ点まで切り込みを入れることにより（図９（ｄ）を参照する。）、交点ａ８から終端Ｒ点まで分割線ｌ６を形成する。
【０１０４】
つまり、分割線ｌ６は、カッター２６によりＦ３点を始点、交点ａ８を終点として切り込みを形成した後に、カッター２６をＧ３点に移動し、カッター２６によりＧ３点を始点、終端Ｒ点を終点として切り込みを形成することとなる。
【０１０５】
このため、分割線ｌ６は、Ｆ３点とＧ３点との間には切り込みが形成されていない、つまり、Ｆ３点とＧ３点との間がつながった状態となっている。
【０１０６】
さらにまた、分割線形成位置Ｙ６に着目すると、この分割線形成位置Ｙ６においては、始端Ｑ点から終端Ｒ点までの分割線が形成され、この分割線は、上記した分割線ｌ４〜ｌ６を形成する場合と同様にして、始端Ｑ点から終端Ｒ点の間に位置するＦ点およびＧ点を設定し、このＦ点およびＧ点を切り込み開始点として、Ｆ点から始端Ｑ点へ切り込みを入れるとともに、Ｇ点から終端Ｒ点へ切り込みを入れるようにして分割線を形成することとなる。
【０１０７】
次に、図１０を参照しながら、本発明によるカッティングプロッタの第３の実施の形態について説明する。
【０１０８】
なお、上記した本発明の第１の実施の形態によるカッティングプロッタ１０と同一または相当する構成については、カッティングプロッタ１０と同一の符号で示すことにより、その詳細な説明は省略する。
【０１０９】
図１０には、本発明の第３の実施の形態によるカッティングプロッタの機能的構成を表すブロック構成説明図が示されている。
【０１１０】
なお、本発明の第３の実施の形態によるカッティングプロッタ７０の要部な構成は、上記した本発明の第１の実施の形態によるカッティングプロッタ１０と同様に構成できるので、その詳細な説明は省略する。
【０１１１】
この図１０に示す本発明の第３の実施の形態によるカッティングプロッタ７０は、第１の分割線作成部５６に変えて、第３の分割線作成部７８を有する点において、上記したカッティングプロッタ１０と異なっている。
【０１１２】
この第３の分割線作成部７８は、分割線作成位置上の始端、終端および交点取得部５６に置いて取得された交点に基づいて、余白部分に分割線を形成する。
【０１１３】
このとき、分割線は、分割線形成位置上の異なる２点（始端、終端、交点取得部５６で取得した交点のうちの２点である。）を結ぶ線となるが、分割線を形成する際には、第３の分割線形成部７８において、分割線形成位置上の所定の点を設定し、当該所定の点を中心として、所定の範囲内に所定の間隔ｇ２を空けて設けられた２点をそれぞれ切り込み開始点とする。
【０１１４】
なお、この切り込み開始点として設けられた２点はそれぞれ、分割線形成位置上の２点との距離が、少なくともカッター２６に設けられたカッター刃（図示せず。）のオフセット量より大きい値となるように設定される。
【０１１５】
また、所定の点を中心として所定の範囲とは、例えば、所定の点を中心として半径ｒが０ｍｍ＜ｒ≦２．５ｍｍとなる範囲であり、これにより、所定の範囲内に設けられる２点間の所定の間隔ｇ２は、０ｍｍ＜ｇ２≦５ｍｍとなる。
【０１１６】
以上の構成において、カッティングプロッタ７０によりカッティングデータに基づいてカッティング形状の作成を開始する指示がなされると、カッティング処理が開始され、このカッティング処理においては、まず、分割線形成位置取得部５４において、カッティング形状を形成していないシート２２上で分割線を形成する位置たる分割線形成位置を取得する（ステップＳ１１０２）。
【０１１７】
次に、カッティング形状作成部５２において、カッティングデータに基づいてシート２２にカッティング形状を形成する（ステップＳ１１０４）とともに、交点取得部５６において、形成したカッティング形状のアウトラインとステップＳ１１０２の処理で取得した分割線形成位置との交点を取得する（ステップＳ１１０６）。
【０１１８】
なお、ステップＳ１１０２〜ステップＳ１１０６の処理については、上記したＳ４０２〜Ｓ４０６の処理と同様の処理となるため、その詳細な説明は省略する。
【０１１９】
その後、この交点に基づいて、第３の分割線作成部７８において、分割線作成位置上に所定の点を設定し、当該所定の点を中心とした所定の範囲内に切り込み開始点を２点設定して分割線を形成し（ステップＳ１１０８）、カッティング処理を終了する。
【０１２０】
即ち、この１１０８の処理においては、分割線形成位置上のＨ点からＩ点まで分割線を形成する場合には、分割線形成位置上のＨ点からＩ点までの間に、所定の点を設け、この所定の点を中心とした所定の範囲内において互いに所定の間隔ｇ２を空けて設けられたＪ点、Ｋ点を設ける。
【０１２１】
こうして設けられたＪ点およびＫ点をそれぞれ分割線を形成する際の切り込み開始点と設定する。
【０１２２】
なお、Ｈ点とＪ点あるいはＫ点との距離、あるいは、Ｉ点とＪ点あるいはＫ点との距離はそれぞれ、カッター２６のオフセット量より大きい値となる。
【０１２３】
また、所定の点を中心とした所定の範囲とは、所定の点を中心とした円Ｏ内であり、円Ｏの半径ｒとしては、例えば、０ｍｍ＜ｒ≦２．５ｍｍとし、Ｊ点とＫ点との間隔たる所定の間隔ｇ２としては、例えば、０ｍｍ＜ｇ２≦５ｍｍとする。
【０１２４】
その後、Ｊ点からＨ点に向かって分割線の切り込みを行い、カッター２６をＫ点まで移動して、Ｋ点からＩ点に向かって分割線の切り込みを行う。
【０１２５】
従って、このステップＳ１１０８の処理においては、Ｈ点からＪ点まで切り込みが入り、Ｊ点からＫ点までは切り込みが入らず、Ｋ点からＩ点までは切り込みが入るという分割線が作成される。なお、このときには、Ｈ点からＪ点まで入れられた切り込みおよびＫ点からＩ点まで入れられた切り込みについては、分割線形成位置上あるいは分割線形成位置近傍に形成されることとなる。
【０１２６】
以下、図５（ｂ）における分割線形成位置Ｙ３に着目して、ステップＳ１１０８の処理により分割線を形成する場合について、具体的に説明することとする。
【０１２７】
この分割線形成位置Ｙ３においては、始端Ｑ点から交点ａ３までの分割線ｌ７と、交点ａ１２から交点ａ１５までの分割線ｌ８と、交点Ａａ８から終端Ｒ点までの分割線ｌ９とが形成される（図１２（ａ）を参照する。）。
【０１２８】
分割線ｌ７を形成する場合には、分割線形成位置上の始端Ｑ点から交点ａ３までの間に、Ｌ１点を設定し、このＬ１点を中心とした半径ｒの円Ｏを形成し、この円Ｏ内において所定の間隔ｇ２を空けてＪ１点とＫ１点を設定し、このＪ１点およびＫ１点を分割線ｌ７を形成する際の切り込み開始点とする（図１２（ｂ）を参照する。）。なお、この図１２（ｂ）においては、Ｊ１点およびＫ１点を円Ｏの円周上に設定している。
【０１２９】
このとき、Ｊ１は、始端Ｑ点からＪ１点までの距離がカッター２６に設けられたカッター刃（図示せず。）のオフセット量より大きい値となる位置に設けられ、Ｋ１点は、Ｋ１点から交点ａ３までの距離が当該カッター刃のオフセット量より大きい値となる位置に設けられる。
【０１３０】
そして、Ｊ１点から始端Ｑ点までカッター２６により切り込みを行い（図１２（ｃ）を参照する。）、その後、カッター２６をＫ１点まで移動するとともに、Ｋ１点においてカッター２６のカッター刃（図示せず。）を回転して、Ｋ１点から交点ａ３まで切り込みを入れることにより（図９（ｄ）を参照する。）、始端Ｑから交点ａ３までの分割線ｌ７を形成する。
【０１３１】
つまり、分割線ｌ７は、カッター２６によりＪ１点を始点、始端Ｑ点を終点として切り込みを形成した後に、カッター２６をＫ１点に移動し、カッター２６によりＫ１点を始点、交点ａ３を終点として切り込みを形成することによって形成される。
【０１３２】
このため、分割線ｌ７は、Ｊ１点とＫ１点との間には切り込みが形成されていない、つまり、Ｊ１点とＫ１点とはつながった状態となっている。また、始端Ｑ点からＪ１点までの切り込みおよびＫ１点から交点ａ３までの切り込みはそれぞれ、分割線形成位置上になく分割線形成位置の近傍に位置した状態となっている。
【０１３３】
また、分割線ｌ８を形成する場合には、分割線形成位置上の交点ａ１２から交点ａ１５までの間に、Ｌ２点を設定し、このＬ２点を中心とした半径ｒの円Ｏを形成し、この円Ｏ内において所定の間隔ｇ２を空けてＪ２点とＫ２点とを設定し、このＪ２点およびＫ２点を分割線ｌ８を形成する際の切り込み開始点とする（図１２（ｂ）を参照する。）。なお、この図１２（ｂ）においては、Ｊ２点およびＫ２点を円Ｏの円周上に設定している。
【０１３４】
このとき、Ｊ２点は、交点ａ１２からＪ２点までの距離がカッター２６に設けられたカッター刃（図示せず。）のオフセット量より大きい値となる位置に設けられ、Ｋ２点は、Ｋ２点から交点ａ１５までの距離が当該カッター刃のオフセット量より大きい値となる位置に設けられる。
【０１３５】
そして、Ｊ２点から始端Ｑまでカッター２６により切り込みを行い（図１２（ｃ）を参照する。）、その後、カッター２６をＫ２点まで移動するとともに、Ｋ２点においてカッター２６のカッター刃（図示せず。）を回転して、Ｋ２点から交点ａ１５まで切り込みを入れることにより（図１２（ｄ）を参照する。）、交点ａ１２から交点ａ１５までの分割線ｌ８を形成する。
【０１３６】
つまり、分割線ｌ８は、カッター２６によりＪ２点を始点、交点ａ１２を終点として切り込みを形成した後に、カッター２６をＫ２点に移動し、カッター２６によりＫ２点を始点、交点ａ１５を終点として切り込みを形成することによって形成される。
【０１３７】
このため、分割線ｌ８は、Ｊ２点とＫ２点との間は切り込みが形成されていない、つまり、Ｊ２点とＫ２点とはつながった状態となっている。また、交点ａ１２からＪ２点までの切り込みおよびＫ２点から交点ａ１５までの切り込みはそれぞれ、分割線形成位置上になく分割線形成位置の近傍に位置した状態となっている。
【０１３８】
さらに、分割線ｌ９を形成する場合には、分割線形成位置上の交点ａ８から終端Ｒ点までの間に、Ｌ３点を設定し、このＬ３点を中心とした半径ｒの円Ｏを形成し、この円Ｏ内において所定の間隔ｇ２を空けてＪ３点とＫ３点とを設定し、このＪ３点およびＫ３点を分割線ｌ９を形成する際の切り込み開始点とする（図１２（ｂ）を参照する。）。なお、この図１２（ｂ）においては、Ｊ３点およびＫ３点を円Ｏの円周上に設定している。
【０１３９】
このとき、Ｊ３点は、交点ａ８からＪ３点までの距離がカッター２６に設けられたカッター刃（図示せず。）のオフセット量より大きい値となる位置に設けられ、Ｋ３点は、Ｋ３点から終端Ｒ点までの距離が当該カッター刃のオフセット量より大きい値となる位置に設けられる。
【０１４０】
そして、Ｊ３点から交点ａ８までカッター２６により切り込みを行い（図１２（ｃ）を参照する。）、その後、カッター２６をＫ３点まで移動するとともに、Ｋ３点においてカッター２６のカッター刃（図示せず。）を回転して、Ｋ３点から終端Ｒ点まで切り込みを入れることにより（図１２（ｄ）を参照する。）、交点ａ８から終端Ｒ点までの分割線ｌ９を形成する。
【０１４１】
つまり、分割線ｌ９は、カッター２６によりＪ３点を始点、交点ａ８を終点として切り込みを形成した後に、カッター２６をＫ３点に移動し、カッター２６によりＫ３点を始点、終端Ｒ点を終点として切り込みを形成することによって形成される。
【０１４２】
このため、分割線ｌ９は、Ｊ３点とＫ３点との間は切り込みが形成されていない、つまり、Ｊ３点とＫ３点とはつながった状態となっている。また、交点ａ８からＪ３点までの切り込みおよびＫ３点から終端Ｒ点までの切り込みはそれぞれ、分割線形成位置上になく分割線形成位置の近傍に位置した状態となっている。
【０１４３】
さらにまた、分割線形成位置Ｙ６に着目すると、この分割線形成位置Ｙ６においては、始端Ｑ点から終端Ｒ点までの分割線が形成され、この分割線は、上記した分割線ｌ７〜ｌ９を形成する場合と同様にして、始端Ｑ点から終端Ｒ点の間に位置するＪ点およびＫ点を設定し、このＪ点およびＫ点を切り込み開始点として、Ｊ点から始端Ｑ点へ切り込みを入れるとともに、Ｋ点から終端Ｒ点へ切り込みを入れるようにして分割線を形成することとなる。
【０１４４】
以上において説明したように、本発明の第１の実施の形態によるカッティングプロッタ１０は、分割線形成位置上のＡ点からＢ点まで分割線を形成する際に、分割線形成位置上のＡ点とＢ点との間にＣ点を設定し、このＣ点を切り込み開始点として、Ｃ点からＡ点へ切り込みを入れるとともに、Ｃ点からＢ点へ切り込みを入れるようにした。
【０１４５】
また、本発明の第２の実施の形態によるカッティングプロッタ６０は、分割線形成位置上のＤ点からＥ点まで分割線を形成する際に、分割線形成位置上のＤ点とＥ点との間に、互いに所定の間隔を空けてＦ点とＧ点とを設定し、このＦ点よＧ点とを切り込み開始点として、Ｆ点からＤ点へ切り込みを入れるとともに、Ｇ点からＥ点へ切り込みを入れるようにした。
【０１４６】
さらに、本発明の第３の実施の形態によるカッティングプロッタ７０は、分割線形成位置上のＨ点からＩ点まで分割線を形成する際に、分割線形成位置上にＬ点を設定し、このＬ点を中心とした円Ｏ内において、互いに所定の間隔を空けてＪ点とＫ点とを設定する。そして、このＪ点およびＫ点を切り込み開始点として、Ｊ点からＨ点へ切り込みを入れるとともに、Ｋ点からＩ点へ切り込みを入れるようにした。
【０１４７】
これにより本発明によるカッティングプロッタ１０、６０、７０においては、カッター刃が回転する可能性のある切り込み開始点が、カッティング形状のアウトライン状に位置しなくなるため、切り込み開始点におけるカッター刃の回転により生じるカッティング形状のアウトライン部分の損傷を生じることがなくなる。
【０１４８】
また、本発明によるカッティングプロッタ１０、６０、７０においては、分割線の終点がカッティング形状のアウトラインと分割線形成位置の交点となっているので、分割線と当該アウトラインとが接しており、分割線が形成された余白部分を容易に取り除くことができる。
【０１４９】
さらに、本発明によるカッティングプロッタ６０、７０においては、２つの切り込み開始点の間に切り込みが入れられていないため、複数の分割線が形成された余白部分においては、特定のライン状の模様を形成することができる。
【０１５０】
これにより、本発明によるカッティングプロッタ６０、７０においては、カッティング形状部分と、余白部分との識別が容易になる。
【０１５１】
なお、上記した実施の形態は、以下の（１）乃至（１１）に示すように変形するようにしてもよい。
【０１５２】
（１）上記した実施の形態においては、分割線の間隔を事前に記憶部５０に記憶するようにしたが、これに限られるものではないことは勿論であり、第１〜３の分割線作成部において、カッティング形状の大きさに合わせて決定するようにしてもよい。
【０１５３】
（２）上記した実施の形態においては、分割線の方向を事前に記憶部５０に記憶するようにしたが、これに限られるものではないことは勿論であり、第１〜３の分割線作成部において、カッティング形状に応じて決定するようにしてもよい。
【０１５４】
（３）上記した実施の形態においては、本発明の第１の実施の形態によるカッティングプロッタ１０において、Ｃ点（Ｃ１点、Ｃ２点、Ｃ３点）を各分割線の中点に設定するようにしたが、これに限られるものではないことは勿論であり、Ｃ点を分割線の始点あるいは終点のいずれか一方の近い位置に設定するようにしてもよい。なお、このときには、Ｃ点は、始点および終点との距離がカッター刃（図示せず。）のオフセット量より大きい値となる位置に設定される。
【０１５５】
（４）上記した実施の形態においては、本発明の第３の実施の形態によるカッティングプロッタ７０において、分割線を形成する際にＪ点（Ｊ１点、Ｊ２点、Ｊ３点）と、Ｋ点（Ｋ１点、Ｋ２点、Ｋ３点）とを円Ｏの円周上に設定するようにしたが、これに限られるものではないことは勿論である。
【０１５６】
即ち、Ｊ点およびＫ点は円Ｏ内に位置するとともに、Ｊ点とＫ点とが所定の間隔ｇ２を空けるようにすればよく、例えば、Ｊ点を円Ｏの円周上に設定し、Ｋ点を円Ｏの中心（つまり、Ｌ点である。）に設定するようにしてもよい（図１３（ａ）を参照する。）。
【０１５７】
さらに、Ｊ点およびＫ点を円Ｏの円周上であって、かつ、分割線形成位置上に位置するように設定してもよい（図１３（ｂ）を参照する。）。
【０１５８】
（５）上記した実施の形態においては、本発明の第３の実施の形態によるカッティングプロッタ７０において、各分割線において、切り込み開始点（Ｊ１点、Ｊ２点、Ｊ３点、Ｋ１点、Ｋ２点、Ｋ３点である。）から分割線形成位置上の異なる２点（つまり、始端、終端および交点取得部５６で取得した交点である。）まで切り込みを入れるようにしたが、これに限られるものではないことは勿論であり、切り込み開始点から分割線形成位置上の点まで切り込みを入れるのではなく、切り込み開始点から分割線形成位置と平行にカッティング形状のアウトラインまで切り込みを入れるようにしてもよい（図１３（ｃ）を参照する。）。
【０１５９】
（６）上記した実施の形態においては、本発明の第２の実施の形態によるカッティングプロッタ６０において、Ｆ点（Ｆ１点、Ｆ２点、Ｆ３点）とＧ点（Ｇ１点、Ｇ２点、Ｇ３点）とを所定の間隔ｇ１を空けて設定するようにし、この所定の間隔ｇ１としては、０ｍｍ＜ｇ１≦５ｍｍとしたが、これに限られるものではないことは勿論であり、余白部分を取り除く際に、余白部分の分割線により区切られた領域同士が容易に離れる（ちぎる）ことが可能であれば、所定の間隔ｇ１を５ｍｍより大きい値としてもよい。
【０１６０】
なお、こうした所定の間隔ｇ１は、シート２２の表面シートの材質ごとに、実験的に求めるようにすればよい。
【０１６１】
（７）上記した実施の形態においては、ペーパームーブタイプのカッティングプロッタにおいて、分割線を形成する２点間に切り込み開始点を設定して、この切り込み開始点から当該２点のそれぞれの点へ切り込みを入れることにより分割線を形成するようにしたが、こうした分割線を形成するカッティングプロッタとしては、これに限られるものではないことは勿論であり、フラットベッドタイプのカッティングプロッタを用いるようにしてもよい。
【０１６２】
（８）上記した実施の形態においては、分割線の方向として、「シート２２のｘ座標の始端０から終端Ｘｍ」とし、分割線をＸ軸方向に平行となるようにしたが、これに限られるものではないことは勿論であり、分割線の方向としては、「シート２２のｙ座標の始端０から終端Ｙｍ」とし、分割線をＹ軸方向に平行となるようにしてもよい。さらに、「シート２２のｘ座標の始端０からＸｍ」および「シート２２のｙ座標の始端０から終端Ｙｍ」とし、分割線をＸ軸方向に平行な線とＹ軸方向に平行な線との２つの方向となるようにしてもよい。
【０１６３】
（９）分割線を形成する際に、カッティング形状の輪郭たるアウトラインが曲線を持つ場合には、分割線はその曲線の法線としてもよい。
【０１６４】
（１０）分割線を形成する際に、分割線の始点または終点がシート２２の始端または終端の場合に、カッター２６によるカッティングの開始点をシート２２の始端または終端としてもよい。
【０１６５】
例えば、図６（ｂ）（ｃ）（ｄ）を参照しながら説明すると、カッター２６によるカッティングの開始点を始端Ｑ点としてＣ１点までカットし、引き続きＣ１点からカッティングの終了点であるａ３点までカットする。または、カッター２６によるカッティングの開始点を終端Ｒ点としてＣ３点までカットし、引き続きＣ３点からカッティングの終了点であるａ８点までカットする。
【０１６６】
このようにすることで、カッター２６のカッター刃の向きを変えることなく分割線を形成することができるので、カッター刃の向きを変える工程や、最初のカット後にカッター２６の復帰移動時間、例えば、始点Ｃ１点から始端Ｑ点を終点として切り込みを形成した後に、Ｃ１点からカッティングの終了点であるａ３点までカッティングするために、カッター２６が始端Ｑ点からＣ１点まで復帰移動する時間を省略することができる。その結果、分割線を形成する時間を短縮することができる。
【０１６７】
（１１）上記した実施の形態ならびに上記した（１）乃至（１０）に示す変形例は、適宜に組み合わせるようにしてもよい。
【産業上の利用可能性】
【０１６８】
本発明は、シートを所定の形状にカッティング処理するカッティングプロッタとして用いて好適である。
【符号の説明】
【０１６９】
１０、６０、７０  カッティングプロッタ、２６  カッター、５０  記憶部、５２、カッティング形状作成部、５４  分割線形成位置取得部、５６  交点取得部、５８  第１の分割線作成部、６８  第２の分割線作成部、７８  第３の分割線作成部
【図１】
2015044261.tif 000003
【図２】
2015044261.tif 000004
【図３】
2015044261.tif 000005
【図４】
2015044261.tif 000006
【図５】
2015044261.tif 000007
【図６】
2015044261.tif 000008
【図７】
2015044261.tif 000009
【図８】
2015044261.tif 000010
【図９】
2015044261.tif 000011
【図１０】
2015044261.tif 000012
【図１１】
2015044261.tif 000013
【図１２】
2015044261.tif 000014
【図１３】
2015044261.tif 000015
【図１４】
2015044261.tif 000016